(57)【特許請求の範囲】
【請求項１】
工業プロセス中で使用するための２線プロセス変数送信機において、
２線プロセス制御ループに接続するように構成された端子と、
前記工業プロセスのプロセス流体のプロセス変数を感知するように構成されたプロセス変数センサと、
該感知されたプロセス変数に関連する出力を前記２線プロセス制御ループ上に提供するように構成された出力回路と、
前記２線プロセス制御ループを通って流れるループ電流とシャント電流を測定する電流測定回路と、
前記プロセス変数送信機の端子電圧に関連する電圧を測定するように構成され、前記端子に接続された端子電圧測定回路であって、該端子電圧が前記２線プロセス制御ループへの前記２線プロセス変数送信機の前記端子の両端間で測定された電圧からなる端子電圧測定回路と、
前記２線プロセス制御ループからの診断コマンドを受信するように構成された入力回路と、
前記測定されたループ電流と端子電圧とに基づいて前記２線プロセス制御ループ上のループ診断を行うように構成されたマイクロプロセッサであって、前記２線プロセス制御ループからの診断コマンドの受信に応答するマイクロプロセッサとを具備し、
前記ループ診断は、さらに、前記ループ電流とシャント電流とを用いて求められる、前記２線プロセス変数送信機の回路動作のために要求される電流と定義される静止電流値（quiescent current value）を測定することを含む２線プロセス変数送信機。
【請求項２】
前記診断コマンドが前記マイクロプロセッサにループ特性評価の実行を開始させるようにする請求項１に記載の２線プロセス変数送信機。
【請求項３】
前記診断は、前記２線プロセス制御ループの抵抗値の測定を含む請求項１に記載の２線プロセス変数送信機。
【請求項４】
前記診断は、前記２線プロセス制御ループの電源電圧の測定を含む請求項１に記載の２線プロセス変数送信機。
【請求項５】
前記診断は、予備診断チェックの実行を含む請求項１に記載の２線プロセス変数送信機。
【請求項６】
温度センサを含み、前記診断が感知された温度に基づいて補償される請求項１に記載の２線プロセス変数送信機。
【請求項７】
前記ループ電流および端子電圧の測定が、同時に実行される請求項１に記載の２線プロセス変数送信機。
【請求項８】
前記診断コマンドは、電子デバイス記述語（EDDL)によって記述されている請求項１に記載の２線プロセス変数送信機。
【請求項９】
工業プロセスの２線プロセス変数送信機中で診断を実行する方法であって、
２線プロセス制御ループに前記２線プロセス変数送信機の端子を接続することと、
前記工業プロセスのプロセス流体のプロセス変数を感知することと、
前記感知されたプロセス変数に関連する出力を前記２線プロセス制御ループ上に提供することと、
前記２線プロセス制御ループに、前記２線プロセス変数送信機の端子を通って流れるループ電流とシャント電流を測定するように構成された電流測定回路を接続することと、
前記２線プロセス変数送信機の端子に、該２線プロセス変数送信機の端子の両端間の端子電圧を測定するように構成された端子電圧測定回路を接続することと、
前記２線プロセス制御ループからの診断コマンド入力を受信することと、
前記測定されたループ電流と端子電圧とを用いて実行される前記２線プロセス制御ループについての診断を、前記診断コマンドに応答して実行することとを含み、
前記診断は、さらに前記ループ電流とシャント電流とを用いて求められる、前記２線プロセス変数送信機の回路動作のために要求される電流と定義される静止電流値（quiescent current value）を測定することを含む方法。
【請求項１０】
前記診断は、前記２線プロセス制御ループの抵抗値を測定することを含む請求項９に記載の方法。
【請求項１１】
前記診断は、前記２線プロセス制御ループの電源電圧を測定することを含む請求項９に記載の方法。
【請求項１２】
前記診断は、予備診断チェックを実行することを含む請求項９に記載の方法。
【請求項１３】
温度を感知することを含み、前記診断が、前記感知された温度に基づいて補償される請求項９に記載の方法。
【請求項１４】
前記ループ電流と端子電圧の測定が同時に実行される請求項９に記載の方法。
【請求項１５】
前記診断コマンドは、電子デバイス記述語（EDDL)によって記述されている請求項９に記載の方法。
【請求項１６】
特性評価が、ループ抵抗値とループ電源電圧のためのベースライン値を含む請求項９に記載の方法。
【発明の詳細な説明】
【技術分野】
【０００１】
本発明は、工業プロセス中のプロセス変数を監視するのに使用される２線工業プロセス制御送信機に関する。特に、本発明は、２線プロセス制御ループに関する診断を行うことができるプロセス変数送信機に関する。
【背景技術】
【０００２】
プロセス変数送信機は、"フィールド"内の遠隔位置での１以上のプロセス変数を測定し、制御室のような中央位置に該プロセス変数に関連する情報を送信するために、工業プロセス中で用いられる。
【０００３】
一実施例では、プロセス変数は２線プロセス制御ループを介して伝送される。２線プロセス制御ループは、プロセス変数送信機を制御ループに接続し、通信をするのに加えて、電力をプロセス変数送信機に提供するのに用いられることができる。一例では、２線プロセス制御ループは、電流レベルが４〜２０ｍA no範囲であり、感知プロセス変数を表すように制御されることのできる４−２０ｍA プロセス制御ループである。他の例は、プロセス制御ループは、HART（登録商標）通信プロトコルに従って動作する。HART（登録商標）通信技術を用いたプロセス制御ループでは、デジタル信号はループ上を伝送する実質的なDC電流レベルに重畳される。つまり、プロセス制御ループは、アナログとデジタル信号の両方を伝送することができる。デジタル信号は、プロセス変数送信機から制御室へ付加情報を伝送し、該制御室からプロセス変数送信機へデータを伝送するのに用いられることができる。他の例では、２線プロセス制御ループは、全てのデータを典型的にデジタル形式で伝送するフィールドバス通信プロトコルに従って動作する。
【先行技術文献】
【特許文献】
【０００４】
【特許文献１】米国特許第５，４８１，２００号「テスト装置を組み込んだフィールド送信機」
【発明の概要】
【発明が解決しようとする課題】
【０００５】
プロセス制御ループが最善に動作しない場合には、エラーがプロセス変数送信機により伝送されたり、ループがプロセス変数送信機が動作するに十分な電力を提供できないといったことが起こりうる。部分的または全体的な故障を含む他のエラーは、また、２線プロセス制御ループに関連する問題により発生する可能性がある。そのため、正常な動作を担保するためには、２線プロセス制御ループに関する診断を行うのが望まれる。そのような診断の例は、１９９６年１月２日にVoegle 等に発行され、Posemount Inc.に譲渡された米国特許第５，４８１，２００号「テスト装置を組み込んだフィールド送信機」に開示されている。
【課題を解決するための手段】
【０００６】
工業プロセス中で使用するための２線プロセス変数送信機は、該工業プロセスの流体のプロセス変数を感知するように構成されたプロセス変数センサを含む。出力回路は、感知されたプロセス変数に関連する出力を２線プロセス制御ループ上に提供するように構成されている。ループ電流測定回路は、２線プロセス制御ループを通って流れるループ電流を測定し、端子電圧測定回路は、プロセス変数送信機の端子電圧に関連する電圧を測定する。該端子電圧は、２線プロセス変数送信機の２線プロセス制御ループへの電気的接続部の両端で測定された電圧でありうる。入力回路は、２線プロセス制御ループからの診断コマンドを受信するように構成されている。マイクロプロセッサは、２線プロセス制御ループからの診断コマンドの受信に応答して、前記測定されたループ電流および端子電圧に基づいて、２線プロセス制御ループについてのループ診断を実行するように構成されている。
【発明の効果】
【０００７】
本発明によれば、ループ電流および端子電圧を測定して、２線プロセス制御ループについてのループ診断を行うことができる。
【図面の簡単な説明】
【０００８】
【図１】プロセス変数送信機を含むプロセス制御システムを示す簡略ブロック図である。
【図２】図１の送信機の構成のブロック図である。
【図３】図１の送信機中の診断回路を示す簡略化された回路図である。
【図４】端子電源電圧が低すぎることを示す診断ソフトウェアからの画像キャプチャ(screen  capture）である。
【図５】端子電源電圧が高すぎることを示す診断ソフトウェアからの画像キャプチャである。
【図６】図１の送信機中の診断ソフトウェアと双方向通信するためのオペレータインタフェースを示す画像キャプチャである。
【発明を実施するための形態】
【０００９】
本発明は、電流ループの抵抗と、該ループに電力を供給するのに用いられる電源電圧とを測定する電子機器を含む２線プロセス制御ループ中の送信機に関する。湿気や他の電気伝導体が送信機電子回路の内部の電源レールに接触するといった時のように、送信機の電子回路電流が大きくリークしたり分路したりすると、プロセスループ中を流れる電流が、所望のプロセスループ電流を越えることになる。このことは、通信の失敗を導いたり、部品が故障したことを示したりする。
【００１０】
図１は、工業プロセス制御または監視システム１０の概略図である。システム１０は、プロセス流体のプロセス変数を感知するように構成されたプロセス変数センサを有するプロセス変数送信機１２を含む。この実施例では、プロセス流体は、プロセスパイプ１６中に含まれるものとして図示されている。プロセス変数は、流速、温度、圧力、ｐH等のプロセス流体に関連する特性である。プロセス変数送信機１２は、ループ電流Iを運ぶ２線プロセス制御ループ１８に結合している。実施例の装置では、プロセス変数送信機は、工業プロセスの"フィールド"中の遠隔位置に設置され、２線プロセス制御ループ１８を介して中央位置にある制御室２０に結合している。この実施例では、制御室プ２０は、感知抵抗２２および電圧源２４として図示されている。
【００１１】
本発明では、オンデマンドループ特性評価機能（on-demand loop characterization function)が提供され、これは電源のベースラインとループ抵抗を蓄積するように構成されている。該システムは、送信機１２が警告状態を示すのに用いられる最小および最大レベルで正確な電流値Iを出力できるように、電源、これに結合されたループ配線および負荷抵抗が、全て正常に機能しているかどうか、を判断するのに用いられる。この機能は、送信機が電流値Iの所望の範囲に渡って出力を提供するができることを担保する。
【００１２】
図２は、プロセス変数送信機１２を示す簡単化されたブロック図である。プロセス変数送信機１２は、メモリ３２内に格納された命令に従って動作するマイクロプロセッサを含んでいる。マイクロプロセッサ３０は、測定回路３４を介してプロセス変数センサ１４から出力を受け取る。測定回路３４は、センサ１４からの出力を処理するためのアナログまたはデジタル部品を含むように構成されることができる。さらに、プロセス変数送信機１２は、２線プロセス制御ループ１８に結合するI/Oおよび診断回路３６を含む。マイクロプロセッサ３０はI/Oおよび診断回路３６に結合し、回路３６を用いて２線プロセス制御ループ１８を介して通信するように構成されている。この通信は、アナログおよび／またはデジタルの一方であり得、オプションで双方向であることもできる。一例の通信技術は、２線プロセス制御ループ１８がセンサ１４からの出力に関連する値を表す、４−２０ｍAの範囲の信号を伝送する、４−２０ｍA通信技術を含む。この範囲外の電流レベルは、警報状態を示すために用いられることができる。この通信プロトコルに関する変形例は、デジタル情報が２線プロセス制御ループ１８上を伝送されるアナログ電流レベルで変調されるHART(登録商標）通信プロトコルである。他の通信プロトコルは、フィールドバスプロトコルのような全ての通信プロトコルを含む。
【００１３】
図３は、I/Oおよび診断回路３６のより詳細なブロック図である。I/Oおよび診断回路は、端子４０を介して２線プロセス制御ループ１８に結合している。これは、該２線プロセス制御ループ１８へのLoop＋およびLoop−接続を提供する。マイクロプロセッサ３０（図３には示されていない）は、ループ１８を介して流れる電流Iを制御するのに用いられるHART(登録商標）コントローラ４２中のデジタル・アナログ変換器に接続されている。デジタル・アナログ変換およびHART(登録商標）コントローラ４２は、アナログ制御信号を提供する。リードバック（readback）および感知抵抗６６は、また２線プロセス制御ループ１８と直列に接続されている。保護ダイオード７０は、ループ端子４０間に接続されている。端子電圧（TERMINAL_VOLTAGE)測定回路８０は、端子４０に接続され、端子４０間の電圧を表す端子電圧（TERMINAL_VOLTAGE)出力を提供するように構成されている。回路８０は、抵抗８２と８４とによって形成される抵抗分割回路網を含む。部品８６，８８および９０は、安全性とフィルタのために設けられている。増幅器９２は、前記分割回路網に接続され、フィードバック回路網９６と９４は、２１０への入力のために、分割された電圧を増幅する。動作の間、差動増幅器９２からの端子電圧（TERMINAL_VOLTAGE)出力は端子４０間の電圧を表す。
【００１４】
回路３６は、また２線プロセス制御ループ１８を介して流れる電流レベルＩに関連するループリードバック（LOOP_READ_BACK)出力を提供するように構成されているリードバック回路１２０を含んでいる。ループリードバック（LOOP_READ_BACK)回路１２０は、リードバック感知抵抗６６の両端に接続された差動増幅器１２２を含んでいる。差動増幅器１２２は、１２６，１３２および１３６で形成されたフィルタを介して演算増幅器（オペアンプ）１２４に出力を提供する。演算増幅器１２４は、２１０のために適正な値を作るべく、抵抗１３０を介して負帰還するように回路形成されている。
【００１５】
シャント電流（SHUNT_CURRENT)測定回路１４０は、抵抗６０および６２を通って流れるシャント電流（SHUNT_CURRENT)を測定するように構成されている。図３に示されている回路では、演算増幅器１４２は、抵抗１４４を介してシャントDX(SHUNT_DX)に結合された非反転入力を有している。該非反転入力はまた抵抗１４６とコンデンサ１４８を介して接地されている。反転入力に対する負帰還は、抵抗１５２を通ってまた接地される抵抗１５０により形成されている。シャント電流（SHUNT_CURRENT)測定回路１４０は、シャント出力（SHUNT_OUTPUT)を提供する。プロセス可変送信機１２の温度はまた温度測定回路１６０を用いて測定される。温度測定回路１６０は、温度の関数として変化する抵抗値を有するRTD素子１６２を含んでいる。素子１６２は、抵抗１６４を介して電圧源VDDに結合している。コンデンサ１６６は素子１６２の両端に接続されている。素子１６２の両端の電位差は演算増幅器１６８によって測定される。負帰還は、抵抗１７０と１７２，コンデンサ１７４を通って形成されている。演算増幅器１６８の反転入力は、また抵抗１７６を通って接地されている。回路１６０は、素子１６２の温度を示す出力TEMPを提供する。
【００１６】
回路９２，１２０，１４０および１６０からの出力に結合する入力をもつマルチプレクサ２００が設けられている。マルチプレクサ２００は、回路からのLOOP_READ_BACK、TERMINAL_VOLTAGE、SHUNT_CURRENTおよびTEMP出力のうちの一つを選択するのに用いられる。マルチプレクサ２００のチャネルは、図２に示されているマイクロプロセッサ３０に接続されるマルチプレクサへの入力を用いて制御される。マルチプレクサ２００からの出力は、アナログ・デジタル変換器２１０に接続される。アナログ・デジタル変換器は、出力２０２に関するアナログ信号を図２に示されているマイクロプロセッサ３０に提供されるデジタルフォーマットに変換する。動作の間、マイクロプロセッサ３０は、種々の電圧が選択され、アナログ・デジタル変換器２１０に接続され、その後マイクロプロセッサ３０により読まれることができるように、マルチプレクサ２００を制御する。
【００１７】
動作の間、マイクロプロセッサ３０により走らされるソフトウェアは４つの測定をするように構成されている。
LOOP_READ_BACK：ループ電流の測定
TERMINAL_VOLTAGE：送信機１２のLoop＋とLoop−端子間の電圧の測定
SHUNT_CURRENT：送信機１２中の回路により用いられる静止電流(quiescent  current）を決定するのに用いられる測定
TEMP：温度補償に用いられる測定
【００１８】
一実施例では、マイクロプロセッサは、これらの値を周期的に、例えば１秒毎に、測定し、これらの測定をループ診断に用いる。さらに、ループ診断は、２線プロセス制御ループ１８を介して受け取られた要求に基づいてなされることができる。
【００１９】
このシステムは、電気的特性評価を行うことができる。例えば、HART（登録商標）通信を介して要求を受信した場合には、該システムは、ループ抵抗値とループ電源を測定することにより特性評価する。このプロセスは、フィールド装置との通信に用いられる言語とインタフェースである、電子デバイス記述語（EDDL)で実行される方法によって開始されることができる。
【００２０】
最初に、特性評価プロセスは、TERMINAL_VOLTAGEとLOOP_READ_BACK測定をすることを含む。第１の事前チェックは、該システムが２３ｍAおよび３．６ｍAといった極限の値を達成できるかどうかを判断するために、４ｍAと６ｍAで行われる。最初に、マイクロプロセッサ３０は、ループ電流を４ｍAにセットし、電流が安定するのを待つ。次いで、測定が要求され、マイクロプロセッサは、４ｍAにおけるLOOP_READ_BACK値とTERMINAL_VOLTAGE値（LOOP_READBACK_４とTERMINAL_VOLTAGE_４）とをメモリ３２に蓄積する。次いで、ループ電流は６ｍAに調節され、システムは電流レベルが安定するのを待つ。LOOP_READBACK_６とTERMINAL_VOLTAGE_６とが測定される。ループ抵抗値事前チェック(loop resistance pre-check)は、次の式を用いて計算される。
【００２１】
【数１】
0005548266.tif 000002
【００２２】
次に、電源電圧事前チェック値(power supply voltage pre-check value)が式２を用いて得られる。
【００２３】
【数２】
0005548266.tif 000003
【００２４】
ループ抵抗値および電源電圧のこれら事前チェック値は、出力がその極限の最小値(VTmin）および最大値(VTmax）、例えば３．６ｍAおよび２３．０ｍAにセットされるときにもシステムが動作することを確認するのに用いられる。これらの値は、式３および式４に従って計算されることができる。
【００２５】
【数３】
0005548266.tif 000004
【００２６】
【数４】
0005548266.tif 000005
【００２７】
VTminがこのシステムで特定されたTERMINAL_VOLTAGEの最小値以下の場合、例えば１２ボルトであるか、またはVTmaxがこのシステムで特定されたTERMINAL_VOLTAGEの最大値以上の場合、例えば４２．４ボルトである場合には、マイクロプロセッサは例えば２線プロセス制御ループ１８を介して図１に示されているような電源２４を調節することをユーザに命じる情報を２線プロセスループ１８を介して伝送するか、または可視出力などを提供することによって、ユーザに警報を提供するように構成されている。この警報は、２線プロセス制御ループ１８を介して可搬フィールドメンテナンス装置に伝送されることができる、または制御室２０等に設置された管理システムに伝送されることができる。この伝送は、例えば、電子デバイス記述語（EDDL)に従ってなされることができる。図４、５は、それぞれ、低いループ電源電圧または高いループ電源電圧を示すコンピュータ画面の出力例を図示している。
【００２８】
次に、ループ電流が一旦安定すると、特性評価プロセスは、出力を２０ｍAに設定し、LOOP_READBACK_２０とTERMINAL_VOLTAGE_２０とを蓄積することにより、動作を前に進める。これらの測定がなされた後、ループの動作はノーマルに復帰する。電源電圧Vpsとループ抵抗値は、動作のフルレンジ（４ｍAと２０ｍA)に渡って再計算される。TERMINAL_VOLTAGEは周期的にチェックされる。ループ抵抗値は、式５に従って計算され蓄積される。
【００２９】
【数５】
0005548266.tif 000006
【００３０】
ループ抵抗値はまた通信に要求される最小抵抗値が要求を満たしている、すなわち２５０オームであることを確認するのに用いられる。
【００３１】
ノーマル動作の間、マイクロプロセッサ３０は、また電源電圧Vpsを次の式で計算し、蓄積することができる。
【００３２】
【数６】
0005548266.tif 000007
【００３３】
一度、ループ抵抗値とループ電源電圧が計算されると、システムはノーマル実行時動作(normal runtime operation）に復帰されることができる。
【００３４】
ノーマル実行時の間、マイクロプロセッサ３０は、LOOP_READ_BACK、TERMINAL_VOLTAGEおよびSHUNT_CURRENT値を測定することによって、周期的な診断を行うことができる。これらの値は、適正なゲインまたはオフセット電圧を印加することにより計測され、温度補償されることができる。LOOP_READ_BACK電流値は、電流基準値と比較されることができる。二つの間の差が予め決められた値より大きい場合には（例えば、スパンの２％）、警戒警報が、例えばHART（登録商標）通信プロトコルを用いて、２線通信ループを介して送られることができる、または該警報は必要に応じて局所的に生成されることができる。TERMINAL_VOLTAGEは測定され、（ループ抵抗値および電源ベースラインを用いて計算された）期待計算値と比較されることができる。この計算のために、現在の電流値（mA)がテスト電流値と対比して用いられる。TERMINAL_VOLTAGEは、式７により計算される。
【００３５】
【数７】
0005548266.tif 000008
【００３６】
測定されたTERMINAL_VOLTAGEが、VT_Calculatedに比べて、図６に示されているようなユーザ選択値（"MAX TERMINAL_VOLTAGE"）以上の不一致がある場合には、警報が２線プロセス制御ループ上に伝送され、必要に応じて局所的な警報が生成される。
【００３７】
典型的には、２線送信機はダイオードと抵抗を含む端末ブロックを介してプロセス制御ループに結合している。しかしながら、この実施例では、温度の変化に基づくダイオード及び抵抗の変動を補償するのに用いられる温度測定値が得られる。これは、測定値の正確さ、特にTERMINAL_VOLTAGEとLOOP_READ_BACK測定値の正確さを改善することができる。
【００３８】
静止電流は送信機１２の回路動作のために要求される電流と定義される。該静止電流は、診断を行う場合に有用である。静止電流は、SHUNT_CURRENT示度および同時のループ電流値（出力電流基準）を用いて測定されることができる。静止電流は次の８式で計算される。
【００３９】
【数８】
0005548266.tif 000009
【００４０】
静止電流が予め定められた値を越える場合、例えば静止電流値が３．４ｍAより大きい場合には、警報が２線プロセス制御ループを介して伝送されることができる、および必要に応じて局所的な警報が生成される。さらに、通信の要件が満足されていることを確認するために、動的な閾値が静止電流と比較される。例えば、低い警報設定値から静止電流値を引いた値は０．５ｍAより大きくなければならない。
【００４１】
測定温度は、診断回路の種々の要素を所望のように補償するのに用いられることができる。この補償は、例えば多項曲線近似技術（polynomial curve fitting techniques)を用いて行うことができる。温度特性評価情報は、メモリ３２中に蓄積されることができる。例えば、メモリ３２は、そのような値を広く蓄積するために、不揮発性メモリを含むことができる。温度特性評価は、送信機１２の製造中に行われることができる。４−２０ｍA出力の校正の間、マイクロプロセッサは同時にLOOP_READ_BACK校正を行い、その結果としての係数をメモリ３２に蓄積することができる。メモリ３２の不揮発性部分に蓄積されることのできる他の情報は、種々の閾値レベルを含み、HART(登録商標）通信技術を介してユーザにアクセスされることができる。
【００４２】
図６は、電子デバイス記述語（EDDL)に従って送信機１２と通信するためのプログラムを走らせるコンピュータソフトウェアから得られた画像表示例を示す。図６には、警告モード(alert  mode）やパワーアドバイザリ診断（power advisory diagnostics)等を含む種々のパラメータが表示されている。送信機１２により得られる種々の測定値およびベースライン測定値が画面上に表示されることができ、システムはループ特性評価を実行するための要求を開始するよう命令されることができる。
【００４３】
種々の電流と電圧を測定している間に、これらの測定値は同時に測定されるのが好ましい。例えば、抵抗値が電圧及び電流測定値で計算される場合には、電圧および電流測定値が同時に測定されるのが好ましい。測定値の同時測定を改善するために、ソフトウェアは同時蓄積技術における資源のロッキング（resource locking)を用いるように形成されることができる。さらに、ソフトウェアは、好ましくは、その優先順位を上げるための優先順位モードで動作させることができる。特に、アナログ出力資源は、診断が行われている間、診断ソフトウェアにより、ロックされることができる。
【００４４】
本発明は好ましい実施例を参照して説明されたが、当業者は、本発明の精神及び範囲から逸脱することなしに、形態および詳細について、変形することが可能である。一実施例では、診断コマンドを受信した時に、マイクロプロセッサはループ特性評価を行い、ループ電源およびループ抵抗値のためのベースライン値を決定する。該特性評価の間に、マイクロプロセッサはまたフィールド装置の端子電圧が１２ボルトと４２．４ボルトの間になることを保証するようにチェックすることができる。
【符号の説明】
【００４５】
１２・・・２線プロセス変数送信機、１４・・・センサ、１８・・・２線プロセス制御ループ、３０・・・マイクロプロセッサ、３２・・・メモリ、３４・・・測定回路、３６・・・Ｉ／Ｏおよび診断回路。
【図１】
0005548266.tif 000010
【図４】
0005548266.tif 000011
【図５】
0005548266.tif 000012
【図６】
0005548266.tif 000013
【図２】
0005548266.tif 000014
【図３】
0005548266.tif 000015